(57)【要約】      （修正有）【課題】  閉塞位置にある後側シュートに紙幣搬送等に支障を来たし得るガタツキや該ガタツキによる位置ずれが現れることを確実に抑制できる紙幣識別装置を提供する。【解決手段】  後側シュート５０の左右両側のピン５７を前側シュートの左右両側の係止片３５の係止孔３５ｂにそれぞれ差し込んで係止した状態で該後側シュート５０を閉塞位置で保持するので、閉塞前の後側シュート５０にガタツキを生じている場合でも閉塞後の後側シュート５０は適正な閉塞位置で確実に保持されることになり、閉塞位置にある後側シュート５０にガタツキや該ガタツキによる位置ずれが現れることはなくなる。【選択図】  図２
2008033740.tif 000002
【特許請求の範囲】
【請求項１】
紙幣搬送ユニットと、紙幣搬送ユニットの周囲に逆Ｕ字形の紙幣通路を形成する前側シュート及び後側シュートとを備え、後側シュートは軸支箇所を支点とした回転動作による開閉を可能としている紙幣識別装置において、
第１係止部と該第１係止部が係止可能な第２係止部の一方が前側シュートの左右両側に設けられ、且つ、他方が後側シュートの左右両側に設けられていて、
後側シュートは左右両側の第１係止部と左右両側の第２係止部がそれぞれ係止した状態で閉塞位置を保持され、且つ、左右両側の第１係止部と左右両側の第２係止部の係止がそれぞれ解除された状態でその開放を許容される、
ことを特徴とする紙幣識別装置。
【請求項２】
左右両側の第１係止部と左右両側の第２係止部との係止を同時に解除するための係止解除レバーをさらに備える、
ことを特徴とする請求項１に記載の紙幣識別装置。
【請求項３】
第１係止部は弾性変形を可能とした係止片から成り、第２係止部は係止片の弾性変形による係止及びその解除を可能とした係止突起から成る、
ことを特徴とする請求項１または２に記載の紙幣識別装置。
【請求項４】
係止片と係止突起の少なくとも一方には、後側シュートを閉塞するときの相互接触により係止突起に係止可能な状態に係止片を弾性変形させる傾斜面が設けられている、
ことを特徴とする請求項３に記載の紙幣識別装置。
【請求項５】
係止突起はピンから成り、係止片には該ピンの抜き差しを可能とした係止孔が設けられている、
ことを特徴とする請求項３または４に記載の紙幣識別装置。
【請求項６】
係止解除レバーは、左右両側の係止片を同時に弾性変形させる操作部を左右両側に有する、
ことを特徴とする請求項２〜５の何れか１項に記載の紙幣識別装置。
【請求項７】
係止解除レバーの操作部と係止片の少なくとも一方には、係止解除レバーを所定方向に動かしたときの相互接触により係止突起との係止を解除可能な状態に係止片を弾性変形させる傾斜面が設けられている、
ことを特徴とする請求項６に記載の紙幣識別装置。
【請求項８】
係止解除レバーは、軸支箇所を支点とした傾動動作を可能としている、
ことを特徴とする請求項６または７に記載の紙幣識別装置。
【発明の詳細な説明】
【技術分野】
【０００１】
本発明は、自動販売機等に用いられる紙幣識別装置に関する。
【背景技術】
【０００２】
特許文献１に記載の紙幣識別装置は、紙幣搬送ユニットと、紙幣搬送ユニットの周囲に逆Ｕ字形の紙幣通路を形成する前側シュート及び後側シュートとを備えており、前面の紙幣挿入口に挿入された紙幣を逆Ｕ字形の紙幣通路に沿って搬送し該搬送過程で紙幣の真偽の識別を行う。この種の紙幣識別装置にあっては、紙幣搬送ユニットの点検や修理等が容易に行えるように、後側シュートは軸支箇所を支点とした回転動作による開閉を可能としている。
【特許文献１】特開２００２−９２６９１
【発明の開示】
【発明が解決しようとする課題】
【０００３】
後側シュートは軸支箇所を支点とした回転動作による開閉を可能としているため、後側シュートには軸支箇所の寸法公差の影響によって多少のガタツキを生じ得る。また、後側シュートにはコスト低減及び重量低減を図るためにプラスチックが一般的に用いられるため、使用環境の温度変化による膨張収縮の影響によって前記のガタツキが顕著となり易い。閉塞位置にある後側シュートに前記のガタツキや該ガタツキによる位置ずれが現れる場合には、該ガタツキの影響で紙幣搬送ユニットの周囲に形成される紙幣通路のクリアランスや後側シュートと紙幣搬送ユニットとの位置関係等が微妙に変化し、所期の紙幣搬送が満足に行えなくなる恐れがある。
【０００４】
本発明は前記事情に鑑みて創作されたもので、その目的とするところは、閉塞位置にある後側シュートに紙幣搬送等に支障を来たし得るガタツキや該ガタツキによる位置ずれが現れることを確実に抑制できる紙幣識別装置を提供することにある。
【課題を解決するための手段】
【０００５】
前記目的を達成するため、本発明は、紙幣搬送ユニットと、紙幣搬送ユニットの周囲に逆Ｕ字形の紙幣通路を形成する前側シュート及び後側シュートとを備え、後側シュートは軸支箇所を支点とした回転動作による開閉を可能としている紙幣識別装置において、第１係止部と該第１係止部が係止可能な第２係止部の一方が前側シュートの左右両側に設けられ、且つ、他方が後側シュートの左右両側に設けられていて、後側シュートは左右両側の第１係止部と左右両側の第２係止部がそれぞれ係止した状態で閉塞位置を保持され、且つ、左右両側の第１係止部と左右両側の第２係止部の係止がそれぞれ解除された状態でその開放を許容される、ことをその特徴とする。
【０００６】
この紙幣識別装置によれば、左右両側の第１係止部と左右両側の第２係止部がそれぞれ係止した状態で後側シュートを閉塞位置で保持するので、閉塞前の後側シュートにガタツキを生じている場合でも閉塞後の後側シュートは適正な閉塞位置で確実に保持されることになり、閉塞位置にある後側シュートにガタツキや該ガタツキによる位置ずれが現れることはなくなる。つまり、閉塞位置にある後側シュートに紙幣搬送等に支障を来たし得るガタツキや該ガタツキによる位置ずれが現れることを確実に抑制できる。
【発明の効果】
【０００７】
本発明によれば、閉塞位置にある後側シュートに紙幣搬送等に支障を来たし得るガタツキや該ガタツキによる位置ずれが現れることを確実に抑制することができる。
【０００８】
本発明の前記目的とそれ以外の目的と、構成特徴と、作用効果は、以下の説明と添付図面によって明らかとなる。
【発明を実施するための最良の形態】
【０００９】
図１〜図１１は本発明（紙幣識別装置）の一実施形態を示す。図１は紙幣識別装置を前側から見た斜視図、図２は図１に示した紙幣識別装置を後側から見た斜視図、図３は図１及び図２に示した紙幣識別装置の縦断面図、図４は図１及び図２に示した紙幣識別装置の上面図、図５は図１及び図２に示した係止解除レバーの斜視図、図６は図１及び図２に示した係止解除レバーの操作部と係止片との位置関係を示す図、図７〜図９は後側シュートの開放動作に係る説明図、図１０は図１及び図２に示した係止片の部分変形例を示す図、図１１は後側シュートの閉塞動作に係る説明図である。尚、以下の説明では、図１の手前側を前、奥側を後、左側を左、右側を右として表記する。
【００１０】
まず、図１〜図６を参照して紙幣識別装置のメカニズムについて説明する。
【００１１】
図１〜図６に示した紙幣識別装置は、メインフレーム１０と、ベースボックス２０と、前側シュート３０と、紙幣搬送ユニット４０と、後側シュート５０と、マスク６０と、紙幣収納カセット７０と、係止解除レバー８０とを備えている。
【００１２】
ベースボックス２０は上面及び後面を開口した箱形を成し、その前面をメインフレーム１０の後面下部に固定されている。このベースボックス２０は、紙幣を紙幣収納カセット７０内に押し込むための縦長矩形状の紙幣収納プレート２１と、該紙幣収納プレート２１を前後移動させるリンク機構２２と、モータ，減速用歯車及び駆動レバーを有する紙幣収納プレート用駆動機構（図示省略）と、上部後側の左右にその中心線が左右方向に向くように設けられた後側シュート用の軸支孔２３とを有している。
【００１３】
リンク機構２２は、各々の上端を紙幣収納プレート２１に回転自在に連結され、且つ、各々の下端をベースボックス２０に回転自在に連結された左右一対の上側リンク２２ａと、各々の上端をベースボックス２０に回転自在に連結され、且つ、各々の下端を紙幣収納プレート２１に回転自在に連結された左右一対の下側リンク２２ｂと、上側リンク２２ａと下側リンク２２ｂで共通の操作軸２２ｃとを有している。操作軸２２ｃには紙幣収納プレート用駆動機構の駆動レバー（図示省略）が係合しており、該駆動レバーの前後移動に伴ってリンク機構２２はその形態を変化して紙幣収納プレート２１を前後に移動させる。
【００１４】
前側シュート３０は全体が略矩形状を成し、その前面をメインフレーム１０の後面上部に固定されている。この前側シュート３０は、後側に張り出した上部湾曲部３１と、前側に張り出した下部湾曲部３２と、上下左右に間隔をおいて回転自在に、且つ、その一部が後側に露出するように設けられた計４個以上のガイドローラ３３と、紙幣搬送ユニット取付部（図示省略）と、その一部が後側に露出するように設けられた紙幣挿入検知センサ３４とを有している。
【００１５】
計４個以上のガイドローラ３３のうちの２個のガイドローラ３３は紙幣搬送ユニット４０の左右一方の無端ベルト４３の前側の上下位置に対応していてその露出部分を該無端ベルト４３に接触し、残りのうちの２個のガイドローラ３３は紙幣搬送ユニット４０の左右他方の無端ベルト４３の前側の上下位置に対応していてその露出部分を該無端ベルト４３に接触している。
【００１６】
また、前側シュート３０は、上部両側に設けられ後方向に向けて突出する横長矩形状の係止片３５を有している。各係止片３５は弾性による左右方向の変形を可能としており、各々の後端内側には傾斜面３５ａが設けられ、略前後方向中間位置にはその中心線が左右方向を向く係止孔３５ｂが設けられている。両係止片３５の外面の左右間隔は後側シュート５０の左右寸法とほぼ一致している。因みに、この係止片３５は請求項１で言うところの「第１係止部」と「第２係止部」の一方に相当する。
【００１７】
紙幣搬送ユニット４０は全体が略直方体形状を成し、前側シュート３０の紙幣搬送ユニット取付部（図示省略）に着脱自在に取り付けられている。この紙幣搬送ユニット４０は、ユニット本体４１と、ユニット本体４１の上部左右に回転自在に設けられたプーリ４２と、ユニット本体４１の下部左右に共通回転軸を通じて回転自在に設けられたプーリ４２と、左側の２個のプーリ４２に巻き付けられた無端ベルト４３と、右側の２個のプーリ４２に巻き付けられた無端ベルト４３と、左側の下側プーリ４２に同軸上に連結された従動歯車（図示省略）と、その一部が後側に露出するように設けられた紙幣識別センサ４４とを有している。
【００１８】
後側シュート５０は全体は略直方体形状を成す。この後側シュート５０は、前側に張り出した湾曲部５１と、上下左右に間隔をおいて回転自在に、且つ、その一部が前側に露出するように設けられた計４個以上のガイドローラ５２と、その一部が前側に露出するように設けられた紙幣識別センサ５３と、モータ，減速用歯車及び駆動歯車を有する収納ユニット用駆動機構（図示省略）と、下面後側の左右に設けられた支持片５４と、各支持片５４にその中心線が左右方向に向くように設けられた軸部５５とを有している。この後側シュート５０は左右の軸部５５をベースボックス２０の左右の軸支孔２３に回転自在に挿入され、軸支箇所を支点とした回転動作による開閉ができるようにベースボックス２０に取り付けられている。
【００１９】
計４個以上のガイドローラ５２のうちの２個のガイドローラ５２は紙幣搬送ユニット４０の左右一方の無端ベルト４３の後側の上下位置に対応していてその露出部分を該無端ベルト４３に接触し、残りのうちの２個のガイドローラ５２は紙幣搬送ユニット４０の左右他方の無端ベルト４３の後側の上下位置に対応していてその露出部分を該無端ベルト４３に接触している。
【００２０】
紙幣搬送ユニット用駆動機構の駆動歯車は後側シュート５０を閉塞した状態で紙幣搬送ユニット４０の従動歯車に噛合する。つまり、紙幣搬送ユニット４０の各無端ベルト４３は収納ユニット用駆動機構の駆動歯車から従動歯車に伝達された回転力に基づいて所定方向に回転して紙幣搬送を行う。
【００２１】
また、後側シュート５０は、上部両側に設けられた凹部５６と、各凹部５６の内側側面に設けられたピン５７とを有している。各ピン５７の中心線は左右方向を向いており、各々の径は係止片３５の係止孔３５ｂの径よりも僅かに小さく、各々の長さは好ましくは凹部５６の左右間隔よりも短い。因みに、このピン５７は請求項１で言うところの「第１係止部」と「第２係止部」の他方に相当し、請求項３で言うところの「係止突起」に相当する。
【００２２】
さらに、後側シュート５０は、係止解除レバー用の左右一対の支持壁５８をその上面に有している。各支持壁５８にはその中心線が左右方向に向くように設けられた係止解除レバー用の軸支孔５８ａが形成されている。
【００２３】
マスク６０は後面を開口した箱形を成し、その後面をメインフレーム１０の前面に固定されている。このマスク６０は、前面から後面に至る横長の紙幣挿入口６１と、紙幣挿入口６１の後端下部から後側に張り出した湾曲部６２とを有している。
【００２４】
紙幣収納カセット７０は上面及び前面を開口した箱形を成し、ベースボックス２０内に着脱自在に取り付けられている。この紙幣収納カセット７０は、前面開口の左右に設けられた縦長のレール７１と、両レール７１の左右間隔よりも左右幅が僅かに大きく両レール７１の後側に配置された縦長矩形状のカセットプレート７２と、カセットプレート７２を前方に付勢する円錐台状のコイルバネ７３と、ベースボックス２０内への紙幣収納カセット７０の装着とその解除を行うフックレバー（図示省略）と、フックレバーを後面側から操作するための切り欠き７４とを有している。
【００２５】
係止解除レバー８０は、矩形状の押圧部８１と、押圧部８１の後端から前方に伸びる縦断面Ｌ字形の姿勢制御部８２と、姿勢制御部８２の左右両側に設けられた弾性片８３と、各弾性片８３にその中心線が左右方向に向くように設けられた軸部８４と、押圧部８１の左右両側に設けられ左右方向に伸びる棒状部８５と、各棒状部８５の先端に設けられた操作部８６とを有している。この係止解除レバー８０は両弾性片８３を内側に撓ませて各々の軸部８４を後側シュート５０の左右の支持壁５８の軸支孔５８ａに挿入することによって後側シュート５０の上面に取り付けられており、軸支箇所を支点とした傾動動作ができるようになっている。また、この取付状態では姿勢制御部８２がメインフレーム１０の上側張出部１１に近接するようになっていて、押圧部８１が浮き上がるように傾動したときの角度制限を姿勢制御部８２の上側張出部１１への接触によって行えるようになっている。
【００２６】
各操作部８６は縦断面略三角形を成していて、各々の外面は内側に向かって傾く傾斜面８６ａとなっている。両操作部８６の下端の左右間隔は、両係止片３５の内面の左右間隔よりも僅かに小さい。
【００２７】
次に、図３を主に参照して前述の紙幣識別装置の基本動作について説明する。
【００２８】
後側シュート５０が閉塞位置にあるとき、紙幣搬送ユニット４０はその前後を前側シュート３０と後側シュート５０に挟み込まれたような状態となり、上部湾曲部３１と後側シュート５０の湾曲部５１の存在もあって、紙幣搬送ユニット４０の周囲には逆Ｕ字形の紙幣通路ＢＰ（図３参照）が形成される。この紙幣通路ＢＰの前側下端はマスク６０の湾曲部６２を介して紙幣挿入口６１の後端と連通している。
【００２９】
マスク６０の紙幣挿入口６１に１０００円札等の紙幣（図示省略）を挿入しその先端が紙幣挿入検知センサ３４の検知領域に達すると、紙幣搬送ユニット４０の両無端ベルト４３が図３において反時計回り方向に回転し、該回転によって紙幣が逆Ｕ字形の紙幣通路ＢＰに引き込まれて該紙幣通路ＢＰに沿って紙幣識別センサ４４，５３の検知領域に送り込まれる。
【００３０】
紙幣識別センサ４４，５３の検知領域に送り込まれた紙幣は該検知領域において真偽の識別を受け、偽紙幣、或いは、識別不可の場合には紙幣搬送ユニット４０の両無端ベルト４３が図３において時計回り方向に回転し、該回転によって紙幣が逆Ｕ字形の紙幣通路ＢＰから紙幣挿入口６１に戻される。
【００３１】
一方、真偽識別の結果、真紙幣の場合には図示省略の制御回路を通じて真紙幣挿入に係る信号が出力される共に、紙幣搬送ユニット４０の両無端ベルト４３が図３において反時計回り方向に回転し、該回転によって紙幣がベースボックス２０の紙幣収納プレート２１の後側に送り込まれる。そして、紙幣収納プレート２１が紙幣を介して紙幣収納カセット７０のカセットプレート７２をバネ付勢力に抗して後方に押圧し、紙幣の幅方向両端縁が紙幣収納カセット７０の両レール７１を乗り越える位置まで後方移動した後に前方に復帰する。この紙幣収納プレート２１の動作によって真紙幣は、紙幣収納カセット７０のカセットプレート７２と両レール７１との間に挟まれるようにして収納される。
【００３２】
次に、図７〜図９を主に参照して前述の紙幣識別装置における後側シュート５０の開放動作について説明する。
【００３３】
後側シュート５０は下部後側の左右に存する軸部５５をベースボックス２０の左右の軸支孔２３に回転自在に挿入されていて、軸支箇所を支点とした回転動作による開閉ができるようにベースボックス２０に取り付けられているため、後側シュート５０には軸部５５及び軸支孔２３の寸法公差の影響によってガタツキが生じ得る。また、後側シュート５０にはコスト低減及び重量低減を図るためにプラスチックが一般的に用いられるため、使用環境の温度変化による膨張収縮の影響によって前記のガタツキが顕著となり易い。
【００３４】
しかし、図６に示すように、閉塞位置にある後側シュート５０はその左右両側のピン５７を前側シュート３０の左右両側の係止片３５の係止孔３５ｂにそれぞれ差し込まれて係止された状態でその位置を保持されるため、閉塞前の後側シュート５０に前記のようなガタツキを生じている場合でも閉塞後の後側シュート５０は適正な閉塞位置で確実に保持され、閉塞位置にある後側シュート５０にガタツキや該ガタツキによる位置ずれが現れることはない。つまり、閉塞位置にある後側シュート５０に紙幣搬送等に支障を来たし得るガタツキや該ガタツキによる位置ずれが現れることを確実に抑制して、所期の紙幣搬送を的確に行えると共に紙幣識別センサ４４，５３による紙幣識別をも的確に行うことができる。
【００３５】
紙幣搬送ユニット４０の点検や修理等を行うに際して閉塞位置にある後側シュート５０を開放するときには、図７及び図８に示すように、係止解除レバー８０の押圧部８１を指先等で下方に押圧して両棒状部８５及び両操作部８６を下方移動させる。係止解除レバー８０の両操作部８６の下端の左右間隔は両係止片３５の内面の左右間隔よりも僅かに小さいため、前記の押圧に伴う両操作部８６の下方移動による相互接触によって各々の傾斜面８６ａから各係止片３５にこれらを外側に押し退ける力が作用し、該各係止片３５は外側に弾性変形して各々の係止孔３５ｂが各ピン５７から同時に抜け出て係止が解除される。依って、係止解除状態で後側シュート５０を軸支箇所を支点として後側に回転させれば、図９に示すように、該後側シュート５０を開放して紙幣搬送ユニット４０を露出させることができ、必要に応じて紙幣搬送ユニット４０を前側シュート３０から取り外すことによって所期の点検や修理等を的確に行うことができる。
【００３６】
図６及び図７には各操作部８６の傾斜面８６ａが接触する各係止片３５の接触箇所を鋭角的に示してあるが、図１０に示すように、各係止片３５の接触箇所に傾斜面３５ｃ、或いは、丸み（図示省略）を形成しておけば、各操作部８６の傾斜面８６ａによって各係止片３５を外側に弾性変形させる際の動作をよりスムースに行うことでき、相互接触箇所の摩耗や損傷も低減することができる。
【００３７】
次に、図１０を主に参照して前述の紙幣識別装置における後側シュート５０の閉塞動作について説明する。
【００３８】
開放後の後側シュート５０を閉塞位置に戻すときには、図１１に示すように、後側シュート５０を軸支箇所を支点として前側に回転させればよい。各係止片３５は弾性による左右変形を可能としており、しかも、各々の後端内側には傾斜面３５ａが設けられているため、後側シュート５０を軸支箇所を支点として前側に回転させると各ピン５７の先端が各係止片３５の傾斜面３５ａに接触し、該相互接触によって各係止片３５を外側に押し退ける力が作用して該各係止片３５は外側に弾性変形する。後側シュート５０が閉塞位置に達すると、図４に示すように、各ピン５７が各係止片３５の係止孔３５ｂに再び差し込まれて係止されて該後側シュート５０が適正な閉塞位置で保持される。
【００３９】
図１１には各係止片３５の傾斜面３５ａが接触する各ピン５７の接触箇所を鋭角的に示してあるが、各ピン５７の接触箇所に丸み（図示省略）を形成しておけば、各ピン５７によって各係止片３５を外側に弾性変形させる際の動作をよりスムースに行うことでき、相互接触箇所の摩耗や損傷も低減することができる。
【００４０】
このように、前述の紙幣識別装置によれば、後側シュート５０の左右両側のピン５７を前側シュート３０の左右両側の係止片３５の係止孔３５ｂにそれぞれ差し込んで係止した状態で該後側シュート５０を閉塞位置で保持するので、閉塞前の後側シュート５０にガタツキを生じている場合でも閉塞後の後側シュート５０は適正な閉塞位置で確実に保持されることになり、閉塞位置にある後側シュート５０にガタツキや該ガタツキによる位置ずれが現れることはなくなる。つまり、閉塞位置にある後側シュート５０に紙幣搬送等に支障を来たし得るガタツキや該ガタツキによる位置ずれが現れることを確実に抑制して、所期の紙幣搬送を的確に行えると共に紙幣識別センサ４４，５３による紙幣識別をも的確に行うことができる。
【００４１】
また、前述の紙幣識別装置によれば、係止解除レバー８０の操作により前側シュート３０の左右両側の係止片３５を外側に弾性変形させることによって各係止片３５の係止孔３５ｂを後側シュート５０の左右両側のピン５７から同時に抜き出して係止を解除できるので、簡単な操作で後側シュート５０を開放することができる。
【００４２】
さらに、前述の紙幣識別装置によれば、係止解除レバー８０として前側シュート３０の左右両側の係止片３５を同時に外側に弾性変形させる操作部８６を左右両側に有するものを用いており、各操作部８６には各係止片３５を外側に押し退けるのに適した傾斜面８６ａが設けられているので、係止解除レバー８０による前記係止解除動作を的確に行うことができる。
【００４３】
さらにまた、前述の紙幣識別装置によれば、前側シュート３０の左右両側の係止片３５の後端内側には後側シュート５０の左右両側のピン５７の先端と接触し得る傾斜面３５ａが設けられているので、開放後の後側シュート５０を閉塞位置に戻すだけの操作によって、該後側シュート５０の各ピン５７の先端を各係止片３５の傾斜面３５ａに接触させて該相互接触によって各係止片３５を外側に弾性変形させ、後側シュート５０が閉塞位置に達したとき各ピン５７を各係止片３５の係止孔３５ｂに再び差し込んで係止させることができ、前記同様に該後側シュート５０を適正な閉塞位置で確実に保持することができる。
【００４４】
尚、前述の紙幣識別装置では、後側シュート５０の各ピン５７を前側シュート３０の各係止片３５の係止孔３５ｂに差し込んで係止させるようにしたが、係止孔３５ｂをピン５７が係止可能な非貫通穴や溝等に置換しても、或いは、ピン５７を係止孔３５ｂや非貫通穴や溝等に係止可能な形状を有する他形状の係止突起に置換しても前記同様の係止及び係止解除を行うことは可能である。
【００４５】
また、前述の紙幣識別装置では、前側シュート３０の各係止片３５に後側シュート５０を閉塞するときに各ピン５７と相互接触可能な傾斜面３５ａを設けたが、各係止片３５から傾斜面を排除してその代わりとなる傾斜面を各ピン５７に設けても前記同様の作用効果を得ることは可能である。
【００４６】
さらに、前述の紙幣識別装置では、前側シュート３０に係止片３５を設けて後側シュート５０にピン５７（係止突起）を設けたが、前側シュート３０にピン５７（係止突起）を設けて後側シュート５０に係止片３５を設けても前記同様の作用効果を得ることは可能である。
【００４７】
さらにまた、前述の紙幣識別装置では、係止解除レバー８０の各操作部８６に傾斜面８６ａを設けて、係止解除を行うときに該傾斜面８６ａによって各係止片３５を外側に押し退けるようにしたが、各操作部８６から傾斜面８６ａを排除してその代わりとなる傾斜面を各係止片３５に設けても前記同様の作用効果を得ることができる。
【図面の簡単な説明】
【００４８】
【図１】本発明の一実施形態を示す、紙幣識別装置を前側から見た斜視図である。
【図２】図１に示した紙幣識別装置を後側から見た斜視図である。
【図３】図１及び図２に示した紙幣識別装置の縦断面図である。
【図４】図１及び図２に示した紙幣識別装置の上面図である。
【図５】図１及び図２に示した係止解除レバーの斜視図である。
【図６】図１及び図２に示した係止解除レバーの操作部と係止片との位置関係を示す図である。
【図７】後側シュートの開放動作に係る説明図である。
【図８】後側シュートの開放動作に係る説明図である。
【図９】後側シュートの開放動作に係る説明図である。
【図１０】図１及び図２に示した係止片の部分変形例を示す図である。
【図１１】後側シュートの閉塞動作に係る説明図である。
【符号の説明】
【００４９】
１０…メインフレーム、２０…ベースボックス、２３…軸支孔、３０…前側シュート、３５…係止片、３５ａ…傾斜面、３５ｂ…係止孔、４０…紙幣搬送ユニット、５０…後側シュート、５５…軸部、５７…ピン、５８ａ…軸支孔、６０…マスク、７０…紙幣収納カセット、８０…係止解除レバー、８４…軸部、８６…操作部、８６ａ…傾斜面。
【図１】
2008033740.tif 000003
【図２】
2008033740.tif 000004
【図３】
2008033740.tif 000005
【図４】
2008033740.tif 000006
【図５】
2008033740.tif 000007
【図６】
2008033740.tif 000008
【図７】
2008033740.tif 000009
【図８】
2008033740.tif 000010
【図９】
2008033740.tif 000011
【図１０】
2008033740.tif 000012
【図１１】
2008033740.tif 000013